(57)【要約】【課題】  必要に応じて二重ガラス障子等の二重窓障子又は二重壁間の中空層を換気及び空調に利用できる上に、外気を建物内に導入又は建物内の空気を外気に排出でき、しかも、省エネルギ化を実現できる上に、天井側又は床側のいずれにもコンパクトに設置することができる通気方向制御装置を提供すること。【解決手段】  通気方向制御装置１は、円筒状の内周面５１を有すると共に内周面５１の円周方向に等間隔をもって配された四個の開口５２、５３及び５４を具備した円筒部材５６と、Ｒ方向の回転により隣接する二つの開口の連通を選択的に行うべく円筒部材５６内にＲ方向に回転自在に配されている連通選択手段５７と、連通選択手段５７をＲ方向に回転させる回転手段５８とを具備している。【選択図】図１
2005240278.tif 000002
【特許請求の範囲】
【請求項１】
円筒状の内周面を有すると共に内周面の円周方向に間隔をもって配された複数個の開口を具備した枠体と、回転により隣接する二つの開口の連通を選択的に行うべく枠体内に回転自在に配されている連通選択手段と、連通選択手段を回転させる回転手段とを具備しており、連通選択手段は、回転手段を内部に収容するハウジングと、ハウジングの外面に設けられていると共に選択された二つの開口を連通する通路を枠体及びハウジングと協働して形成する通路形成部とを具備しており、回転手段は通路形成部を回転させるようになっている通気方向制御装置。
【請求項２】
通路形成部は、ハウジングの外面から径外方向に伸びてハウジングの外面に一体的に設けられており、回転手段は、ハウジングを回転させて通路形成部を回転させるようになっている請求項１に記載の通気方向制御装置。
【請求項３】
枠体は、内周面の円周方向に等間隔をもって配された少なくとも三個の開口を具備しており、連通選択手段は、内周面の円周方向に等間隔をもって配された通路形成部を有している請求項１又は２に記載の通気方向制御装置。
【請求項４】
枠体は、円筒状の内周面を有する枠体本体と、枠体本体の内周面から径内方向に伸びて枠体本体の内周面に一体的に設けられていると共に内周面の円周方向に間隔を有した少なくとも三個の突条を具備しており、通路形成部は、その回転において突条に直接的に又はシール部材を介して間接的に当接するようになっている請求項１から３のいずれか一項に記載の通気方向制御装置。
【請求項５】
少なくとも三個の突条は、当該突条の夫々に各通路形成部が当接すると隣接する二つの開口が非連通となるように枠体本体の内周面に設けられている請求項４に記載の通気方向制御装置。
【請求項６】
回転手段は、ハウジング内に収容されたチューブラモータを具備している請求項１から５のいずれか一項に記載の通気方向制御装置。
【請求項７】
建物壁に設けられた中空層と、中空層の下部の下部体によって区画されていると共に建物内に連通する下部内側通路と、下部体によって区画されていると共に建物外に連通する下部外側通路と、中空層の上部の上部体によって区画されていると共に建物内に連通する上部内側通路と、上部体によって区画されていると共に建物外に連通する上部外側通路とを具備した建物の下部体に配されるようになっていると共に中空層と下部内側通路との連通の制御、中空層と下部外側通路との連通の制御及び下部内側通路と下部外側通路との連通の制御のうちの少なくとも一つの制御を行うようになっており、枠体は中空層、下部内側通路及び下部外側通路に夫々連通する開口を具備している請求項１から６のいずれか一項に記載の通気方向制御装置。
【請求項８】
建物壁に設けられた中空層と、中空層の下部の下部体によって区画されていると共に建物内に連通する下部内側通路と、下部体によって区画されていると共に建物外に連通する下部外側通路と、中空層の上部の上部体によって区画されていると共に建物内に連通する上部内側通路と、上部体によって区画されていると共に建物外に連通する上部外側通路とを具備した建物の上部体に配されるようになっており、中空層と上部内側通路との連通の制御、中空層と上部外側通路との連通の制御及び上部内側通路と上部外側通路との連通の制御のうちの少なくとも一つの制御を行うようになっており、枠体は、中空層、上部内側通路及び上部外側通路に夫々連通する開口を具備している請求項１から６のいずれか一項に記載の通気方向制御装置。
【請求項９】
下部内側通路は建物内の部屋に連通しており、下部外側通路は建物外に連通しており、上部内側通路は空調機、熱交換器又は送風機に連通しており、上部外側通路は建物外に連通している請求項７又は８に記載の通気方向制御装置。
【請求項１０】
中空層は建物壁の窓に設置される二重窓障子間の空間からなる請求項７から９のいずれか一項に記載の通気方向制御装置。
【請求項１１】
二重窓障子の夫々の障子はガラス障子を具備している請求項１０に記載の通気方向制御装置。
【請求項１２】
下部体は窓の下部に配される下枠体からなり、上部体は窓の上部に配される上枠体からなる請求項１０又は１１に記載の通気方向制御装置。
【請求項１３】
中空層は建物壁の二重壁間の空間からなる請求項７から９のいずれか一項に記載の通気方向制御装置。
【請求項１４】
下部体は二重壁の下部に配される下部壁からなり、上部体は二重壁の上部に配される上部壁からなる請求項１３に記載の通気方向制御装置。
【請求項１５】
建物壁に設けられた中空層と、中空層の下部の下部体によって区画されていると共に建物内に連通する下部内側通路と、下部体によって区画されていると共に建物外に連通する下部外側通路と、中空層の上部の上部体によって区画されていると共に建物内に連通する上部内側通路と、上部体によって区画されていると共に建物外に連通する上部外側通路とを具備した建物の下部体及び上部体の夫々に配された下部及び上部の請求項１から６のいずれか一項に記載の通気方向制御装置とを具備しており、下部の通気方向制御装置は、中空層と下部内側通路との連通の制御、中空層と下部外側通路との連通の制御及び下部内側通路と下部外側通路との連通の制御のうちの少なくとも一つの制御を行うようになっており、下部の通気方向制御装置の枠体は中空層、下部内側通路及び下部外側通路に夫々連通する開口を具備しており、上部の通気方向制御装置は、中空層と上部内側通路との連通の制御、中空層と上部外側通路との連通の制御及び上部内側通路と上部外側通路との連通の制御のうちの少なくとも一つの制御を行うようになっており、上部の通気方向制御装置の枠体は、中空層、上部内側通路及び上部外側通路に夫々連通する開口を具備している通気機構。
【請求項１６】
下部内側通路は建物内の部屋に連通しており、下部外側通路は建物外に連通しており、上部内側通路は空調機、熱交換器又は送風機に連通しており、上部外側通路は建物外に連通している請求項１５に記載の通気機構。
【請求項１７】
請求項７から１４のいずれか一項に記載の通気方向制御装置若しくは請求項１５又は１６に記載の通気機構を具備した建物。
【発明の詳細な説明】
【技術分野】
【０００１】
本発明は、二重壁又は二重障子によって建物壁に設けられた中空層を利用して建物内外及び建物内の通気等を行うに好適な通気方向制御装置並びにこれを具備した通気機構及び建物に関する。
【背景技術】
【０００２】
【特許文献１】特開２００３−１０５８８０号公報
【特許文献２】特開２００３−１８５１８６号公報
【０００３】
最近の建物の窓では、ガラス障子を二重にしてその間に中空層（空気層）を設け、この中空層を断熱層として利用して、外気の温度変化に建物内の温度が影響されないようにし、建物内の温度維持のためのエネルギ消費量を少なくすることが試みられている。
【０００４】
ところで、中空層は通常密閉されているために、例えば夏場等の昼間には太陽光線の二重ガラス障子への照射で中空層内の空気の温度が著しく上昇して中空層内の空気が外気温以上となり、建物内の冷房に対する負荷が増大しエネルギ消費量の低減を期待する程得られない虞がある。
【０００５】
また最近の高層の建物の窓では、危険防止等のためにそれの開閉ができないようになっているために、外気が適温、適湿にも拘らず建物内に対して冷暖房を含めて空調を行う必要があり、これによるエネルギ消費量は莫大となっており、しかも、斯かる空調は建物内において空気を循環させるために、空気が一旦細菌等で汚染されると好ましくない事態が生じる場合がある。
【０００６】
上記の問題は、建物壁を二重壁にして二重壁間に中空層を設ける場合にも同様に生じ得る。
【０００７】
省エネルギ化を実現できて上記の問題を好ましく解決できる通気方向制御装置が特許文献２に提案されているが、斯かる通気方向制御装置では、特許文献２に記載の限りにおいては、通路形成部を回転させる電動モータが通路形成部の横に張り出して取り付けられているために、天井側又は床側のいずれに装着するにしても、電動モータが邪魔となってコンパクトに設置することが困難となる。特許文献１により提案されている換気構造でも同様である。
【発明の開示】
【発明が解決しようとする課題】
【０００８】
本発明は、前記諸点に鑑みてなされたものであって、その目的とするところは、必要に応じて二重ガラス障子等の二重窓障子又は二重壁間の中空層を換気及び空調に利用できる上に、外気を建物内に導入又は建物内の空気を外気に排出でき、しかも、省エネルギ化を実現できる上に、天井側又は床側のいずれにもコンパクトに設置することができる通気方向制御装置並びにこれを具備した通気機構及び建物を提供することにある。
【課題を解決するための手段】
【０００９】
本発明の第一の態様の通気方向制御装置は、円筒状の内周面を有すると共に内周面の円周方向に間隔をもって配された複数個の開口を具備した枠体と、回転により隣接する二つの開口の連通を選択的に行うべく枠体内に回転自在に配されている連通選択手段と、連通選択手段を回転させる回転手段とを具備しており、ここで、連通選択手段は、回転手段を内部に収容するハウジングと、ハウジングの外面に設けられていると共に選択された二つの開口を連通する通路を枠体及びハウジングと協働して形成する通路形成部とを具備しており、回転手段は通路形成部を回転させるようになっている。
【００１０】
第一の態様の通気方向制御装置によれば、通路形成部が外面に設けられているハウジングの内部に通路形成部を回転させる回転手段が収容されているために、回転手段が通路形成部の横に張り出して邪魔となることがなく、天井側又は床側のいずれにもコンパクトに設置することでき、しかも、通路形成部の回転により隣接する二つの開口の連通を選択的に行うことができるようになっているために、通気方向制御装置を中空層の下方の床側に取り付けて、一つの開口を建物外に、他の一つの開口を二重窓障子又は二重壁間の中空層に、更に他の一つの開口を建物内に夫々連通させて、例えば一つの開口とこれに隣接する他の一つの開口とを連通することにより、中空層と建物外とを連通させることができ、春先等で建物内の空気温度である室温より建物外の空気温度である外気温が高い場合に中空層を空調の通路とすると、外気を建物内の空気の暖房に利用できる結果、省エネルギ化を実現できる一方、夏場等で中空層の空気が高温になる場合に中空層を換気の通路とすると、中空層の空気が外気温以上になることを防ぐことができて建物内の冷房に対する負荷を減少できる結果、これまた省エネルギ化を実現でき、また例えば他の一つの開口とこれに隣接する更に他の一つの開口とを連通することにより、中空層と建物内とを連通させることができ、冬場等で外気温が低い場合に中空層を換気の通路とすると、中空層及び建物内で暖められた空気を暖房に利用できて省エネルギ化を実現でき、更にまた例えば一つの開口とこれに隣接する更に他の一つの開口とを連通することにより、外気を建物内に導入又は建物内の空気を外気に排出できて、新鮮な外気でもって建物内を清浄にできる。
【００１１】
通路形成部は、好ましくは本発明の第二の態様の通気方向制御装置のように、ハウジングの外面から径外方向に伸びてハウジングの外面に一体的に設けられており、この場合、回転手段は、ハウジングを回転させて通路形成部を回転させるようになっているとよい。
【００１２】
枠体は、本発明の第三の態様の通気方向制御装置のように、内周面の円周方向に等間隔をもって配された少なくとも三個の開口を具備しているとよく、この場合、連通選択手段は、内周面の円周方向に等間隔をもって配された三個の通路形成部を有しているとよい。
【００１３】
本発明の第四の態様の通気方向制御装置では、上記のいずれかの態様の通気方向制御装置において、枠体は、円筒状の内周面を有する枠体本体と、枠体本体の内周面から径内方向に伸びて枠体本体の内周面に一体的に設けられていると共に内周面の円周方向に間隔を有した少なくとも三個の突条を具備しており、通路形成部は、その回転において突条に直接的に又はシール部材を介して間接的に当接するようになっており、ここで、少なくとも三個の突条は、本発明の第五の態様の通気方向制御装置のように、当該突条の夫々に各通路形成部が当接すると隣接する二つの開口が非連通となるように枠体本体の内周面に設けられているとよい。
【００１４】
回転手段は、本発明では電動モータを具備していればよいのであるが、好ましくは本発明の第六の態様の通気方向制御装置のように、ハウジング内に収容されたチューブラモータを具備しているとよい。
【００１５】
本発明の通気方向制御装置は、その第七の態様の通気方向制御装置のように、建物壁に設けられた中空層と、中空層の下部の下部体によって区画されていると共に建物内に連通する下部内側通路と、下部体によって区画されていると共に建物外に連通する下部外側通路と、中空層の上部の上部体によって区画されていると共に建物内に連通する上部内側通路と、上部体によって区画されていると共に建物外に連通する上部外側通路とを具備した建物の下部体に配されるようになっていると共に中空層と下部内側通路との連通の制御、中空層と下部外側通路との連通の制御及び下部内側通路と下部外側通路との連通の制御のうちの少なくとも一つの制御を行うようになっていても、その第八の態様の通気方向制御装置のように、建物壁に設けられた中空層と、中空層の下部の下部体によって区画されていると共に建物内に連通する下部内側通路と、下部体によって区画されていると共に建物外に連通する下部外側通路と、中空層の上部の上部体によって区画されていると共に建物内に連通する上部内側通路と、上部体によって区画されていると共に建物外に連通する上部外側通路とを具備した建物の上部体に配されるようになっている共に中空層と上部内側通路との連通の制御、中空層と上部外側通路との連通の制御及び上部内側通路と上部外側通路との連通の制御のうちの少なくとも一つの制御を行うようになっていてもよく、前者の場合には、枠体は中空層、下部内側通路及び下部外側通路に夫々連通する開口を具備しており、後者の場合には、枠体は、中空層、上部内側通路及び上部外側通路に夫々連通する開口を具備しているとよい。
【００１６】
好ましくは本発明の第九の態様の通気方向制御装置のように、下部内側通路は建物内の部屋に連通しており、下部外側通路は建物外に連通しており、上部内側通路は空調機、熱交換器又は送風機に連通しており、上部外側通路は建物外に連通している。
【００１７】
中空層は、本発明の第十の態様の通気方向制御装置のように、建物壁の窓に設置される二重窓障子間の空間からなり、この場合、二重窓障子の夫々の障子は、本発明の第十一の態様の通気方向制御装置のように、ガラス障子を具備している。
【００１８】
好ましく例では本発明の第十二の態様の通気方向制御装置のように、下部体は窓の下部に配される下枠体からなり、上部体は窓の上部に配される上枠体からなる。
【００１９】
中空層は、上記に代えて、本発明の第十三の態様の通気方向制御装置のように、建物壁の二重壁間の空間からなっていてもよく、この場合、本発明の第十四の態様の通気方向制御装置のように、下部体は二重壁の下部に配される下部壁からなり、上部体は二重壁の上部に配される上部壁からなっているとよい。
【００２０】
本発明の第一の態様の通気機構は、建物壁に設けられた中空層と、中空層の下部の下部体によって区画されていると共に建物内に連通する下部内側通路と、下部体によって区画されていると共に建物外に連通する下部外側通路と、中空層の上部の上部体によって区画されていると共に建物内に連通する上部内側通路と、上部体によって区画されていると共に建物外に連通する上部外側通路とを具備した建物の下部体及び上部体の夫々に配された下部及び上部の上述の第一から第六のいずれかの態様の通気方向制御装置とを具備しており、下部の通気方向制御装置は、中空層と下部内側通路との連通の制御、中空層と下部外側通路との連通の制御及び下部内側通路と下部外側通路との連通の制御のうちの少なくとも一つの制御を行うようになっており、下部の通気方向制御装置の枠体は中空層、下部内側通路及び下部外側通路に夫々連通する開口を具備しており、上部の通気方向制御装置は、中空層と上部内側通路との連通の制御、中空層と上部外側通路との連通の制御及び上部内側通路と上部外側通路との連通の制御のうちの少なくとも一つの制御を行うようになっており、上部の通気方向制御装置の枠体は、中空層、上部内側通路及び上部外側通路に夫々連通する開口を具備している。
【００２１】
好ましい例では本発明の第二の態様の通気機構のように、下部内側通路は建物内の部屋に連通しており、下部外側通路は建物外に連通しており、上部内側通路は空調機、熱交換器又は送風機に連通しており、上部外側通路は建物外に連通している。
【発明の効果】
【００２２】
本発明によれば、必要に応じて二重ガラス障子等の二重窓障子又は二重壁間の中空層を換気及び空調に利用できる上に、外気を建物内に導入又は建物内の空気を外気に排出でき、しかも、省エネルギ化を実現できる上に、天井側又は床側のいずれにもコンパクトに設置することができる通気方向制御装置並びにこれを具備した通気機構及び建物建物を提供することができる。
【発明を実施するための最良の形態】
【００２３】
次に本発明及びその実施の形態を、図に示す好ましい例に基づいて更に詳細に説明する。なお、本発明はこれら例に何等限定されないのである。
【００２４】
図１及び図２において、本例の下部（床側）及び上部（天井側）の通気方向制御装置１及び２を具備した建物３は、建物壁に設けられた中空層、本例では建物３の壁の窓４に設置される二重窓障子、本例では夫々の障子がガラス障子５及び６を具備している二重窓障子７間の中空層８と、中空層８の下部の下部体としての下枠９によって区画されていると共に建物３内の部屋１０に開口１１で連通する下部内側通路１２と、下枠９によって区画されていると共に建物外１３に開口１４で連通する下部外側通路１５と、中空層８の上部の上部体としての上枠１６によって区画されていると共に開口１７で建物３内の空調機、熱交換器又は送風機に天井内のダクトを介して連通する上部内側通路１８と、上枠１６によって区画されていると共に建物外１３に開口１９で連通する上部外側通路２０と、下枠９によって区画されていると共に中空層８の下方の端部に開口２１で連通する通路２２と、上枠１６によって区画されていると共に中空層８の上方の端部に開口２３で連通する通路２４とを有した通気機構を具備している。
【００２５】
建物３の下枠９に配された通気方向制御装置１は、通路２２を介する中空層８と下部内側通路１２との連通の制御、通路２２を介する中空層８と下部外側通路１５との連通の制御及び下部内側通路１２と下部外側通路１５との連通の制御を行うようになっており、建物３の上枠１６に配された通気方向制御装置２は、通路２４を介する中空層８と上部内側通路１８との連通の制御、通路２４を介する中空層８と上部外側通路２０との連通の制御及び上部内側通路１８と上部外側通路２０との連通の制御を行うようになっている。
【００２６】
ガラス障子５は、下枠９及び上枠１６にシール部材２５及び２６を介して固定されており、ガラス障子６は一対の引き違い障子２７及び２８からなり、引き違い障子２７及び２８は上下のサッシ２９及び３０間に装着されており、サッシ２９及び３０は、下枠９及び上枠１６の横方向（水平方向）両端に配されていると共に下枠９及び上枠１６と協働して窓４を構成する縦枠３１及び３２に固定されている。
【００２７】
窓４の下部であって床３３側に配されている下枠９には、開口１４を介する雨水の下部外側通路１５への侵入を阻止するために、遮蔽枠３５が取り付けられており、遮蔽枠３５には、防鳥、防虫、防塵用の網部材３６が取り付けられており、下部外側通路１５は、開口１４で網部材３６の網目及び遮蔽枠３５の下端の開口３７を介して建物外１３に連通されている。
【００２８】
窓４の上部であって天井３４側に配されている上枠１６にも、開口１９を介する雨水の上部外側通路２０への侵入を阻止するために、遮蔽枠３８が取り付けられており、遮蔽枠３８には、防鳥、防虫、防塵用の網部材３９が取り付けられており、上部外側通路２０は、開口１９で網部材３９の網目及び遮蔽枠３８の下端の開口４０を介して建物外１３に連通されている。
【００２９】
開口１１、１４、１７及び１９の夫々には防塵フィルタ部材４１が設けられている。
【００３０】
通気方向制御装置１及び２は互いに同様に構成されているので、以下、通気方向制御装置１について詳述する。
【００３１】
通気方向制御装置１は、円筒状の内周面５１を有すると共に内周面５１の円周方向に等間隔を有して三個以上、本例では四個の開口５２、５３及び５４を具備した枠体としての円筒部材５６と、Ｒ方向の回転により開口５２、５３及び５４のうちの隣接する二つの開口の連通を選択的に行うべく円筒部材５６内にＲ方向に回転自在に配されている連通選択手段５７と、連通選択手段５７をＲ方向に回転させる回転手段５８と、回転手段５８の出力回転軸５９の回転を制御する制御装置６０と、制御装置６０の制御を通信回線６１を介して命令する集中制御命令装置６２と、円筒部材５６の両端部の内面に嵌着された蓋部材６３と、一方の蓋部材６３に嵌着された軸受支持部材６４とを具備している。
【００３２】
縦枠３１及び３２間において下枠９内に配された円筒部材５６は、円筒状の内周面５１及び開口５２、５３及び５４を有する枠体本体としての円筒部７１と、内周面５１から径内方向に伸びて内周面５１に一体的に設けられていると共に内周面５１の円周方向に等間隔を有した三個の突条７２、７３及び７４と、円筒部７１の円筒状の外周面７５から径外方向に伸びて外周面７５に一体的に設けられている二対の取付片部７６及び７７とを具備しており、円筒部材５６は、その両端で蓋部材６３を介して縦枠３１及び３２に取り付けられていると共に二個の取付片部７６及びビス７８並びに二個の取付片部７７及び二個の取付片部７７間に配された固定ブロック７９を介して下枠９の内面にＲ方向に回転しないように固着されている。
【００３３】
円筒部７１外において、下部内側通路１２及び下部外側通路１５の夫々は、取付片部７６により通路２２に対して非連通にされており、下部内側通路１２は、取付片部７７及び固定ブロック７９により下部外側通路１５に対して非連通にされている。
【００３４】
開口５２、５３及び５４の夫々は、横方向において分断された複数の長方形の開口部からなっており、開口５２は下部内側通路１２に、開口５３は下部外側通路１５に、開口５４は通路２２を介して中空層８に夫々連通している。開口５４は本例では内周面５１の円周方向に関して個別に二個設けられているが、これらは一体化されて内周面５１の円周方向に関して一つの開口５４とされてもよい。
【００３５】
連通選択手段５７は、回転手段５８を内部に収容するハウジング８５と、ハウジング８５の外面８６から径外方向に伸びてハウジング８５の外面８６に一体的に設けられていると共に円筒部７１及びハウジング８５と協働して開口５２、５３及び５４のうちの選択された二つの開口を連通する通路を形成するよう内周面５１の円周方向に等間隔を有した三個の通路形成部８７、８８及び８９と、通路形成部８７、８８及び８９の夫々に嵌着されたシール部材９０と、ハウジング８５の一端内に嵌合されていると共に軸受９１を介して軸受支持部材６４にＲ方向に回転自在に支持された軸部材９２と、ハウジング８５の他端内に嵌合されている軸受支持部材９３とを具備している。
【００３６】
回転手段５８は、ハウジング８５内に収容されたチューブラモータ１０１と、チューブラモータ１０１においてその回転子の出力回転軸５９の回転をハウジング８５に伝達すべく、内周面で出力回転軸５９に固着されていると共に外周面でハウジング８５の内周面に嵌着された伝達部材１０２と、チューブラモータ１０１の回転子及び固定子を内蔵し且つ固定子が取り付けられたケーシング１０３に固着されていると共に縦枠３１に蓋部材６３を介して固定された軸部材１０４とを具備しており、軸部材１０４は、軸受１０５を介して軸受支持部材９３をＲ方向に回転自在に支持している。
【００３７】
回転手段５８は、チューブラモータ１０１の作動による出力回転軸５９の回転で伝達部材１０２を介してハウジング８５をＲ方向に回転させて、これにより通路形成部８７、８８及び８９を同方向に回転させるようになっている。
【００３８】
通路形成部８７、８８及び８９の夫々は、Ｒ方向の回転において円筒部７１及びハウジング８５と協働して開口５２、５３及び５４のうちの選択された二つの開口を連通する通路を形成する一方、突条７２、７３及び７４の夫々にシール部材９０を介して間接的に当接するようになっており、三個の突条７２、７３及び７４は、当該突条７２、７３及び７４の夫々に通路形成部８７、８８及び８９の夫々がシール部材９０を介して間接的に当接すると隣接する二つの開口５２及び５３、開口５３及び５４並びに開口５２及び５４の夫々を非連通とするように円筒部７１の内周面５１に設けられている。
【００３９】
制御装置６０は、チューブラモータ１０１の回転子の回転位置を検出するようにケーシング１０３に内蔵された位置検出器１０６からの検出信号と通信回線６１を介する集中制御命令装置６２からの命令信号に基づいて通路形成部８７、８８及び８９の回転位置を決定すべくチューブラモータ１０１の作動を制御するようになっていると共に位置検出器１０６からの検出信号を通信回線６１を介して集中制御命令装置６２に送信するようになっており、集中制御命令装置６２は、位置検出器１０６からの検出信号、建物外１３の温度及び風速・風向の夫々を検出する外気温度検出器及び風速・風向検出器からの検出信号並びに建物３内の部屋１０の温度を検出する室温検出器からの検出信号等に基づいて通路形成部８７、８８及び８９の回転位置を決定すべく制御装置６０に命令信号を送出するようになっている。制御装置６０及び集中制御命令装置６２は、外気温度検出器、風速・風向検出器及び室温検出器からの検出信号等に基づくことなしに手動設定で通路形成部８７、８８及び８９の回転位置を決定することができるようにもなっており、また制御装置６０は、集中制御命令装置６２による遠隔制御によることなしに建物３内の部屋１０の通気方向制御装置１の近傍での手動設定により通路形成部８７、８８及び８９の回転位置を決定することができるようにもなっている。
【００４０】
以上の建物３では、制御装置６０に基づく通気方向制御装置１及び２のチューブラモータ１０１の作動で通気方向制御装置１及び２の夫々の通路形成部８７、８８及び８９を回転させて図１に示すように、通気方向制御装置１及び２の夫々の通路形成部８７、８８及び８９の夫々の突条７２、７３及び７４の夫々へのシール部材９０を介する当接を生じさせないで、通気方向制御装置１の開口５３及び５４を連通させる一方、その開口５２及び５３並びに開口５２及び５４を非連通とすると共に通気方向制御装置２の開口５２及び５４を連通させる一方、その開口５２及び５３並びに開口５３及び５４を非連通とすると、建物外１３を開口３７、開口１４、下部外側通路１５、開口５３、開口５４、通路２２及び開口２１を介して中空層８に、中空層８を開口２３、通路２４、開口５４、開口５２、上部内側通路１８及び開口１７並びに天井内のダクトを介して建物３内の空調機、熱交換器又は送風機に夫々連通できる一方、開口１４及び１１を介する建物外１３と建物３内の部屋１０とを並びに開口１１及び２１を介する部屋１０と中空層８とを夫々非連通にできると共に開口１９及び１７を介する建物外１３と空調機、熱交換器又は送風機とを並びに開口１９及び２３を介する建物外１３と中空層８とを夫々非連通にでき、而して、外気を開口１４及び２１を介して中空層８に導入でき、中空層８に導入された空気を開口２３及び１７を介して空調機、熱交換器又は送風機に導入できる結果、春先などで建物３内の部屋１０の室温より建物外１３の外気温が高い場合には、外気を部屋１０の空気の暖房に利用できる結果、省エネルギ化を実現できる。
【００４１】
またチューブラモータ１０１の作動で通気方向制御装置１及び２の夫々の通路形成部８７、８８及び８９を回転させて図３に示すように、通気方向制御装置１及び２の夫々の通路形成部８７、８８及び８９の夫々を突条７２、７３及び７４の夫々にシール部材９０を介して当接させ、通気方向制御装置１及び２の夫々の開口５２及び５３、開口５２及び５４並びに開口５３及び５４の夫々を相互に非連通とすると、開口１４及び１１を介する建物外１３と部屋１０とを、開口１４及び２１を介する建物外１３と中空層８とを並びに開口１１及び２１を介する部屋１０と中空層８とを、開口１９及び１７を介する建物外１３と空調機、熱交換器又は送風機とを、開口１９及び２３を介する建物外１３と中空層８とを並びに開口２３及び１７を介する中空層８と空調機、熱交換器又は送風機とを夫々非連通にすることができる結果、建物外１３からの中空層８、空調機、熱交換器又は送風機及び部屋１０への外気の導入、部屋１０からの中空層８への空気の導入、中空層８からの空調機、熱交換器又は送風機への導入、中空層８からの建物外１３への空気の排出を禁止することができ、中空層８を介して部屋１０の温度を維持できる上に、降雨時等において部屋１０への湿った空気の取り入れを防止できる。
【００４２】
更にチューブラモータ１０１の作動で通気方向制御装置１及び２の夫々の通路形成部８７、８８及び８９をＲ方向に回転させて図４に示すように、通気方向制御装置１及び２の夫々の通路形成部８７、８８及び８９の夫々の突条７２、７３及び７４の夫々へのシール部材９０を介する当接を生じさせないで、通気方向制御装置１の開口５３及び５４を連通させる一方、その開口５２及び５３並びに開口５２及び５４を非連通とすると共に通気方向制御装置２の開口５３及び５４を連通させる一方、その開口５２及び５３並びに開口５２及び５４を非連通とすると、建物外１３を開口３７、開口１４、下部外側通路１５、開口５３、開口５４、通路２２及び開口２１を介して中空層８に、中空層８を開口２３、通路２４、開口５４、開口５３、上部外側通路２０、開口１９及び開口４０を介して建物外１３に夫々連通できる一方、開口１４及び１１を介する建物外１３と建物３内の部屋１０とを並びに開口１１及び２１を介する部屋１０と中空層８とを夫々非連通にできると共に開口１９及び１７を介する建物外１３と空調機、熱交換器又は送風機とを並びに開口２３及び１７を介する中空層８と空調機、熱交換器又は送風機とを夫々非連通にでき、而して、外気を開口１４及び２１を介して中空層８に導入でき、中空層８に導入された空気を開口２３、１９及び４０を介して建物外１３に排出できる結果、夏場等に中空層８の空気が外気温以上になることを防ぐことができて建物３内の部屋１０の冷房に対する負荷を減少できる結果、これまた省エネルギ化を実現できる。
【００４３】
更にまたチューブラモータ１０１の作動で通気方向制御装置１及び２の夫々の通路形成部８７、８８及び８９をＲ方向に回転させて図５に示すように、通気方向制御装置１及び２の夫々の通路形成部８７、８８及び８９の夫々の突条７２、７３及び７４の夫々へのシール部材９０を介する当接を生じさせないで、通気方向制御装置１の開口５２及び５４を連通させる一方、その開口５２及び５３並びに開口５３及び５４を非連通とすると共に通気方向制御装置２の開口５２及び５４を連通させる一方、その開口５２及び５３並びに開口５３及び５４を非連通とすると、部屋１０を開口１１、下部内側通路１２、開口５２、開口５４、通路２２及び開口２１を介して中空層８に、中空層８を開口２３、通路２４、開口５４、開口５２、上部内側通路１８、開口１７及び天井内のダクトを介して建物３内の空調機、熱交換器又は送風機に夫々連通できる一方、開口１４及び１１を介する建物外１３と建物３内の部屋１０とを並びに開口１４及び２１を介する建物外１３と中空層８とを夫々非連通にできると共に開口１９及び１７を介する建物外１３と空調機、熱交換器又は送風機とを並びに開口１９及び２３を介する建物外１３と中空層８とを夫々非連通にでき、而して、部屋１０の空気を開口１１及び２１を介して中空層８に導入でき、中空層８に導入された空気を開口２３及び１７を介して空調機、熱交換器又は送風機に導入できる結果、冬場等に部屋１０及び中空層８で暖められた空気を暖房に利用できる結果、省エネルギ化を実現できる。
【００４４】
一方、チューブラモータ１０１の作動で通気方向制御装置１及び２の夫々の通路形成部８７、８８及び８９をＲ方向に回転させて図６に示すように、通気方向制御装置１の通路形成部８７、８８及び８９の夫々の突条７２、７３及び７４の夫々へのシール部材９０を介する当接を生じさせないで、通気方向制御装置１の開口５２及び５３を連通させる一方、その開口５２及び５４並びに開口５３及び５４を非連通とする一方、通気方向制御装置２の通路形成部８７、８８及び８９の夫々を突条７２、７３及び７４の夫々へシール部材９０を介して当接させると、建物外１３を開口３７、開口１４、下部外側通路１５、開口５３、開口５２、下部内側通路１２及び開口１１を介して部屋１０に連通できる一方、開口１４及び２１を介する建物外１３と中空層８とを、開口１１及び２１を介する部屋１０と中空層８とを並びに開口１９及び１７を介する建物外１３と空調機、熱交換器又は送風機とを、開口１９及び２３を介する建物外１３と中空層８とを並びに開口２３及び１７を介する中空層８と空調機、熱交換器又は送風機とを夫々非連通にでき、而して、外気を開口１４及び１１を介して部屋１０に導入又は部屋１０の空気を外気に排出できて、新鮮な外気でもって部屋１０を清浄にできる。
【００４５】
以上のように、通気方向制御装置１又は２によれば、通路形成部８７、８８及び８９が外面８６に設けられているハウジング８５の内部に通路形成部８７、８８及び８９を回転させる回転手段５８のチューブラモータ１０１が収容されているために、回転手段５８のチューブラモータ１０１が通路形成部８７、８８及び８９の横に張り出して邪魔となることがなく、天井と床との間のいずれにもコンパクトに設置することできる。
【００４６】
以上は通気方向制御装置１を下枠９に通気方向制御装置２を上枠１６に夫々配した例であるが、これに代えて下枠９及び上枠１６のいずれか一方にこれを配してもよく、また上記の例では、中空層８として二重窓障子７間の空間を用いたが、これに代えて中空層８を建物壁の二重壁間の空間を用いて構成してもよく、この場合、下枠９として二重壁の下部に配される下部壁を、上枠１６として二重壁の上部に配される上部壁を夫々利用するようにしてもよく、加えて、ガラス障子６に代えてカーテンを用いて中空層８を形成してもよい。
【００４７】
また本発明における通気方向制御装置１及び２の制御態様は、以上の例に限定されないのであって、例えば建物外１３を開口３７、開口１４、下部外側通路１５、開口５３、開口５２、下部内側通路１２及び開口１１を介して部屋１０に連通すると同時に建物外１３を開口４０、開口１９、上部外側通路２０、開口５３、開口５２、上部内側通路１８及び開口１７を介して空調機、熱交換器又は送風機に連通するようにしてもよく、また通気方向制御装置１の開口５２及び５３、開口５２及び５４並びに開口５３及び５４を夫々非連通にすると同時に建物外１３を開口４０、開口１９、上部外側通路２０、開口５３、開口５２、上部内側通路１８及び開口１７を介して空調機、熱交換器又は送風機に連通するようにしてもよく、更には開口５２、５３又は５４のいずれかを半開にして連通を確保するようにしてもよい。
【図面の簡単な説明】
【００４８】
【図１】本発明の実施の形態の好ましい例の断面図である。
【図２】図１に示す例の通気方向制御装置の一部断面平面図である。
【図３】図１に示す例の動作説明図である。
【図４】図１に示す例の動作説明図である。
【図５】図１に示す例の動作説明図である。
【図６】図１に示す例の動作説明図である。
【符号の説明】
【００４９】
１、２  通気方向制御装置
５１  内周面
５２、５３、５４  開口
５６  円筒部材
５７  連通選択手段
５８  回転手段
【図１】
2005240278.tif 000003
【図２】
2005240278.tif 000004
【図３】
2005240278.tif 000005
【図４】
2005240278.tif 000006
【図５】
2005240278.tif 000007
【図６】
2005240278.tif 000008